(57)【特許請求の範囲】
【請求項１】
パルス照射源から中心波長を持つ照射パルスを入力し、各々の入力した照射パルスに対し複数のサブパルスを出力するのに適したパルススプリッタにおいて、前記パルススプリッタは、
第１の屈折率を持つ第１の材料の第１の領域、及び
第２の屈折率を持つ第２の材料の第２の領域
を有し、
前記第１及び第２の領域は、前記第１及び第２の材料により形成される共通の境界面を有し、前記第１及び第２の光路長は前記共通の境界面により互いに分離され、
前記入力した照射パルス及び前記パルススプリッタは、少なくとも第１及び第２のサブパルスが前記第１の領域における第１の光路長及び前記第２の領域における第２の光路長により夫々時間的に分離されるように構成され、並びに
前記第１の材料における波長に対する前記第１の光路長かける群速度分散は、前記第２の材料における波長に対する前記第２の光路長かける群速度分散と平衡が保たれている、
パルススプリッタ。
【請求項２】
前記共通の境界面は、平坦な境界面であり、前記共通の境界面は、前記第１及び第２のサブパルスを前記共通の境界面に向けて反射するために配される一対の平行な反射面の間に位置決められる、請求項１に記載のパルススプリッタ。
【請求項３】
前記第１及び/又は第２の材料における波長に対する前記群速度分散は、前記中心波長λで前記第１及び/又は第２の屈折率を二次微分することにより夫々近似される、請求項１又は２に記載のパルススプリッタ。
【請求項４】
前記第１及び第２のサブパルスの分散の広がりは、数式
【数１】
0005770190.tif 000008
が中心波長λで満たされることを要求することにより等しくなり、ここで第１の屈折率はｎ０であり、第２の屈折率はｎ１である、請求項２又は３に記載のパルススプリッタ。
【請求項５】
前記分散の広がりは、前記パルス照射源の調整可能な中心波長の範囲により規定される波長間隔において等しい、請求項１に記載のパルススプリッタ。
【請求項６】
前記第１の材料における波長に対する前記第１の光路長かける群速度分散は、前記第２の材料における波長に対する前記第２の光路長かける群速度分散と平衡が保たれているので、前記第１及び第２のサブパルスの最も狭いパルス幅に対する前記第１及び第２のサブパルスの最も広いパルス幅の比は、２、１．６、１．３又は１．１の何れか１つである、請求項１に記載のパルススプリッタ。
【請求項７】
物体を撮像するための光学系において、
中心波長を持つ照射パルスを放射するのに適したパルス照射源、
請求項１に記載のパルススプリッタ、及び
前記物体からの反射放射線を検出することが可能である光検出器
を有する光学系。
【請求項８】
一対の光学部品を備える第１の分散補償ユニット、及び
高次分散補償装置
をさらに有し、
前記高次分散補償装置は、異なる波長を空間的に分離することにより一次分散を補償するために配される前記対の光学部品と協働するのに適し、前記高次分散補償装置は、位相板の形式を持ち、各々の波長に対する位相の変化は、高次分散を補償するように、前記位相板の対応する位置の高さを設計することにより調節される、請求項７に記載の光学系。
【請求項９】
物体の光学撮像を行うための方法において、
−パルス照射源から中心波長を持つ照射パルスを入力し、各々の入射する照射パルスに対し複数のサブパルスを出力するのに適したパルススプリッタを供給するステップであり、前記パルススプリッタは、第１の屈折率を持つ第１の材料の第１の領域及び第２の屈折率を持つ第２の材料の第２の領域を有するステップ、並びに
−少なくとも、第１及び第２のサブパルスは、前記第１の領域における第１の光路長及び前記第２の領域における第２の光路長により夫々、時間的に分離されるように、前記入力した照射パルス及びパルススプリッタを構成するステップ、
を有し、
前記第１及び第２の領域は、前記第１及び第２の材料により形成される共通の境界面を有し、前記第１及び第２の光路長は前記共通の境界面により互いに分離され、並びに
前記第１の材料における波長に対する前記第１の光路長かける前記群速度分散は、前記第２の材料における波長に対する前記第２の光路長かける前記群速度分散と平衡が保たれている、
方法。
【発明の詳細な説明】
【技術分野】
【０００１】
本発明は、分散補償を備えるパルススプリッタに関し、このパルススプリッタは特に、非線形の光学撮像、特に多光子顕微鏡法に適している。本発明は、対応する光学撮像システム及び対応する撮像方法にも関する。
【背景技術】
【０００２】
生物組織を調査するために、多光子顕微鏡検査は定評のある技術である。例えば組織のような混濁媒体における大きな侵入深さ、小さな励起負荷及び自然深さ切片効果を持つ共焦点蛍光顕微鏡法より勝る利点を持っている。
【０００３】
非線形撮像の欠点は、２つの光子の励起に対する蛍光体(fluorophore)の小さな吸収断面積である。これは、励起電力を増大させることにより補償されるが、この電力の増大は実際には、８０ＭＨｚの繰り返し率を持つ従来のレーザシステムを用いたサブミクロン焦点において約１０ｍＷの平均電力でいわゆるブリーチング(bleaching)する損傷しきい値に制限される。それ故にパルスエネルギーは１ｎＪより下に制限されるべきである。しかしながら、利用可能なレーザシステムは、もっと大きな平均電力、及び結果としてもっと大きなパルスエネルギーを示す。余剰エネルギーは、各々のパルスを同じエネルギーを持つ等間隔パルスの組に、好ましくはエネルギーを損失することなく分割することにより用いられることができる。繰り返し率Ｎ−ｆｏｌｄを加速させることにより、
−信号強度Ｎ−ｆｏｌｄを増大させる、
−データ取得速度Ｎ−ｆｏｌｄを増大させる、若しくは
−光障害確率を減少させる、又は
−これら何れかの組み合わせ
をすることができる。
【０００４】
２つの平行な部分反射ミラーを備えるファブリ・ペロー・エタロン(Fabry-Perot etalons)、又は平行なエタロンの積層が利用されるいわゆる光ラトラ(optical rattler)の使用のようなパルススプリッタに対し様々な解決法が存在する。
【０００５】
最新のモノリシックパルススプリッタは、Na Ji, Jeffrey C. Magee & Eric Betzing著、Nature Methods 5(2) 2008, pp197-202 タイトル"High-speed, low-photodamage nonlinear imaging using passive pulse splitters"により開示されている。さらに、対応する米国特許出願US 2009/0067458号も見ると、装置は、入力繰り返し率及び入力パルス電力でパルスレーザを生成するパルスレーザ源、前記パルスレーザビームを入力し、このパルスレーザビームの各々の入力パルスに対し複数のサブパルスを含む信号を出力する（５０％のビームスプリッタを持つ境界面の２つの異なる材料を備える）パッシブ型のビームスプリッタ、試料(sample)並びに検出器を含んでいる。前記出力信号は、入力繰り返し率より高い繰り返し率を持ち、前記サブパルスの各々の電力は入力パルス電力よりも小さい。
【０００６】
Na他著によるパルススプリッタの本質は、２つの材料層は、５０％のビームスプリッタの境界面に屈折が存在するように、異なる屈折率を持つという事実である。異なる屈折率の材料は、異なる群速度分散を持つ傾向がある。これは、超短パルスは媒体内を進むとき、このパルスを構成する全ての光周波数は、同じ速度ではないことを意味している。その結果、パルスは広くなる。この広がり効果は、２つの媒体、すなわち媒体１及び媒体０内を進むビームに対し異なっている。パルススプリッタの出力ポートにおいて前記パルスは混合され、代わりにその分広げられたパルスを生じる。Na Ji他著は、低分散材料、例えば空気又はシリカを使用して、群速度分散を減少させることを提案しているが、これは単に分散を減少させるだけであり、それを除去しない、並びにこの分散はさらにサブパルスの数Ｎ、及び利用可能な対のパルス内(intra-pair pulse)の間隔時間Δｔに制限も設ける。
【０００７】
故に、改善されたパルススプリッタが有利であり、特により効果的な及び/又は信頼できるパルススプリッタが有利である。
【発明の概要】
【発明が解決しようとする課題】
【０００８】
改善されたパルススプリッタを達成することが有利である。一般に、本発明は好ましくは、上述した欠点の１つ以上を個々に又は何れか組み合わせて軽減、改善又は削除しようと努める。特に、従来技術の上述した問題又は他の問題を解決するパルススプリッタを供給することが本発明の目的と見なされる。特にこれら問題は分散に関する。
【課題を解決するための手段】
【０００９】
本目的及び幾つかの他の目的は、パルス照射源から中心波長（λ）を持つ照射パルスを入力し、各々の入力した照射パルスに対し複数のサブパルスを出力するのに適したパルススプリッタを供給することにより、本発明の第１の態様において得られ、前記パルススプリッタは、
第１の屈折率（ｎ０）を持つ第１の材料（ｍ０）の第１の領域、及び
第２の屈折率（ｎ１）を持つ第２の材料（ｍ１）の第２の領域、
を有し、前記入力した照射パルス及びパルススプリッタは、
前記第１及び第２の領域は、前記第１及び第２の材料により形成される共通の境界面を有し、前記第１及び第２の光路長は前記共通の境界面により互いに分離され、
少なくとも第１及び第２のサブパルスが前記第１の領域における第１の光路長（ＯＰ１）及び前記第２の領域における第２の光路長（ＯＰ２）により夫々、時間的に分離されるように構成され、並びに
前記第１の材料における波長に対する前記第１の光路長（ＯＰ１）かける群速度分散（ＧＶＤ１）は、前記第２の材料における波長に対する前記第２の光路長（ＯＰ２）かける群速度分散（ＧＶＤ２）と平衡が保たれているので、前記第１及び第２のサブパルスの分散の広がりは等しい。
【００１０】
本発明は、前記第１及び第２のサブパルスの分散の広がりが同じであるパルススプリッタを得るのに特に有利であるが、それに限らない。いわゆるチャープ(chirp)の後続の分散補償に対し、例えば一対の回折格子(grating)若しくは一組のチャープミラー又は超高速光学の分野において良く知られる他の技術のような様々な標準的な技術がこの分散の補償に利用されるため、サブパルスの同じ分散の広がりが本発明により得られるという事実を述べている。
【００１１】
前記第１の材料における波長に対する第１の光路長（ＯＰ１）かける群速度分散と、第２の材料における波長に対する第２の光路長（ＯＰ２）かける群速度分散との平衡は、十分にコンパクトなスプリッタを持つために通常は第１の材料と第２の材料との間の屈折率が大きく異なることが望ましい一方、高い屈折率は通常高い群速度分散を暗に意味しているので、パルススプリッタを設計する当業者にとって直接的な選択ではない、しかしながら、これは本発明の教示及び原理に従って適切な設計検討の単なる一部である。
【００１２】
本発明の文脈において、"パスル照射源"という言葉は、例えば８０ＭＨｚ若しくはそれ以上の繰り返し率を持つチタン・サファイア(Ti-sapphire)レーザ、又は２０ＭＨｚ若しくはそれ以上の繰り返し率を持つファイバーレーザのような、非線形の光学撮像の技術範囲における多光子顕微鏡法に適したパルスレーザを含むと考えられるが、それに限定されない。
【００１３】
本発明の文脈において、第１及び/又は第２の材料は、前記照射源の中心波長前後で透明である何れかの種類の材料でよい。それ故に、これら材料は、例えばガラスのような固体とすることができるが、流体、すなわち液体及び気体とすることもできる。
【００１４】
本発明のパルススプリッタは、前記第１及び第２のサブパルスは、このパルススプリッタにより時間的に分離される、すなわちこれらサブパルスは時間領域で分離されるが、これらサブパルスはパルススプリッタを離れた後、実質的に同じ空間的方向に伝播している点で特有である。しかしながら、前記第１及び第２のサブパルスは、前記パルススプリッタ内において、前記第１及び第２の光路に沿って夫々伝播しているとき、これらサブパルスは空間的に分離される。
【００１５】
ある実施例において、前記第１及び第２の領域は、前記第１及び第２の材料により形成される共通の境界面を有し、好ましくは第１の光路長（ＯＰ１）及び第２の光路長（ＯＰ２）は、この共通の境界面により互いに分離されている。これは例えば共通の境界面における例えば５０％のような半反射又は半透明ミラーでもよい。
【００１６】
好ましくは、この共通の境界面は、平坦な境界面であり、この共通の境界面はさらに、前記第１及び第２のサブパルスをこの共通の境界面に向けて反射するために配される一対の平行な反射面の間に位置決められる。これは専用のミラーとすることもできるが、代わりに、屈折率の差が、完全な内部反射が前記反射を行うように大きくてもよい。この共通の境界面は好ましくは反射面に平行でもよい。
【００１７】
特定の実施例において、前記第１及び/又は第２の材料における波長に対する群速度分散（ＧＶＤ１／ＧＶＤ２）は、中心波長で前記第１及び/又は第２の屈折率を二次微分することにより夫々近似される。それ故に、１つの群速度分散が近似されるが、必ずしも両方である必要はない。高次分散効果がますます重要になり、本来のパルス幅は小さくなる、すなわちスペクトル成分が広がる。前記二次微分は、材料に対する標準的なテーブル、いわゆる"Ｍ定数(M-constant)"から取り出すことができる。
【００１８】
特に、前記第１及び第２のサブパルスの分散の広がりは、以下の数式
【数１】
0005770190.tif 000002
が中心波長又はその周辺で満たされることを要求することにより等しくなり、ここで第１の屈折率はｎ０であり、第２の屈折率はｎ１である。
【００１９】
好ましくは、前記分散の広がりは、パルス照射源の調整可能な中心波長の範囲により規定される波長間隔に等しい。従って、例えば前記範囲は、チタン・サファイアレーザの７００−９５０ｎｍでもよく、しかし他の間隔、例えば中心波長（λ）周辺の５０、１００又は１５０ｎｍも考えられる。代わりに、中心波長（λ）の１０、２０又は３０ｎｍのスペクトル幅が考えられる。
【００２０】
有利なことに、第１の材料における波長に対する第１の光路長（ＯＰ１）かける群速度分散は、第２の材料における波長に対する第２の光路長（ＯＰ２）かける群速度分散と平衡が保たれているので、前記第１及び第２のサブパルスの最も狭いパルス幅に対する前記第１及び第２のサブパルスの最も広いパルス幅の比は、２、１．６、１．３又は１．１の何れか１つである。この幅は、例えばガウス形式のビームの半値全幅（ＦＷＨＭ）として測定される。パルス幅の定義が何であろうとも、その幅は、前記第１及び第２のサブパルスに対し同じにすべきであり、本発明の結果は、パルススプリッタにより誘発される前記広がりは、実質的に同じだということである。
【００２１】
第２の態様において、本発明は物体を撮像するための光学系に関し、この光学系は、
−中心波長（λ）持つ照射パルスを放射するのに適したパルス照射源、
−前記第１の態様に従うパルススプリッタ、及び
−前記物体からの反射放射線を検出することが可能である光検出器
を有する。
【００２２】
それ故に、本発明は、例えばフェムト秒（１０−１５秒）のレーザ、多光子顕微鏡法、共焦点顕微鏡法等のような様々な光学撮像技術と組み合わせて実施されてもよい。
【００２３】
好ましくは、前記光学系はさらに、一対の光学部品（Ｐ１、Ｐ２）を備える第１の分散補償ユニット及び高次分散補償装置を有し、前記高次分散補償装置は、異なる波長を空間的に分離することにより一次分散を補償するために配される前記対の光学部品（Ｐ１、Ｐ２）と協働するのに適し、前記高次分散補償装置は、位相板の形式を持ち、ここで各波長に対する位相の変化は、高次分散を実質的に補償するように、前記位相板の対応する位置の高さを設計することにより調節される。
【００２４】
第３の態様において、本発明は物体の光学撮像を行うための方法に関し、この方法は、
−パルス照射源から中心波長（λ）を持つ照射パルスを入力し、各々の入射する照射パルスに対し複数のサブパルスを出力するのに適したパルススプリッタを供給するステップ、並びに
−少なくとも、第１及び第２のサブパルスは、前記第１の領域における第１の光路長（ＯＰ１）及び前記第２の領域における第２の光路長（ＯＰ２）により夫々、時間的に分離されるように、前記入力した照射パルス及びパルススプリッタを構成するステップ
を有し、
前記第１及び第２の領域は、前記第１及び第２の材料により形成される共通の境界面を有し、前記第１及び第２の光路長は前記共通の境界面により互いに分離され、並びに
前記パルススプリッタは、第１の屈折率（ｎ０）を持つ第１の材料（ｍ０）の第１の領域、及び第２の屈折率（ｎ１）を持つ第２の材料の第２の領域を有し、ここで、第１の材料における波長に対する第１の光路長（ＯＰ１）かける群速度分散（ＧＶＤ１）は、第２の材料における波長に対する第２の光路長（ＯＰ２）かける群速度分散（ＧＶＤ２）と平衡しているので、前記第１及び第２のサブパルスの分散の広がりは等しい。
【００２５】
一般に、本発明の様々な態様は、本発明の範囲内において可能な如何なる方法で組み合わされ、結合されてもよい。本発明のこれら及び他の態様、特徴及び/又は利点は、以下に説明される実施例から明らかであり、これを用いて説明される。
【図面の簡単な説明】
【００２６】
【図１】本発明による物体の光学撮像のためのシステムの概略図。
【図２】本発明によるパルススプリッタの概略図。
【図３】本発明によるパルススプリッタの別の概略図。
【図４】多数の材料を積層構造で示す、本発明によるパルススプリッタのさらに別の概略図。
【図５】本発明に利用される材料の対を見つけるのに適したグラフ。
【図６】本発明を用いて実施するのに有用な分散補償装置の概略図。
【図７】本発明による方法のフローチャート。
【発明を実施するための形態】
【００２７】
本発明の実施例は、単なる例として、図面を参照して説明される。
【００２８】
図１は、本発明に従って物体８、例えば組織を光学撮像するためのシステム１の概略図である。このシステム１は、中心波長λを持つ照射パルスを放射するのに適したパルス照射源２を有する。この照射源２は、本発明によるパルススプリッタ５とミラー３又は同様の装置を介して光学的に接続される。パルススプリッタ５の後、サブパルス（この図には示されない）は、分散補償装置６（例えば図６）を通り、例えば集束レンズ及び/又はカテーテルアームのような光学製品(optics)７を操作することによって物体８に照射される。（２つの矢印を用いて概略的に示される）物体８から反射した放射は次いで、前記物体８から反射した放射を検出することが可能である適切な光検出器４において検出される。特に、本発明は、様々な種類の生物学的組織の多光子顕微鏡法におけるフェムト秒のレーザを用いた応用に有利であるが、例えば（生物）医学撮像用のコンパクトなファイバスキャナのような、他の応用もまた当業者が容易に理解できる。
【００２９】
図２は、本発明によるパルススプリッタ５の概略図であり、このパルススプリッタ５は、パルス照射源２から中心波長（λ）を持つ照射パルスを入力し、各々の入射する照射パルスに対し、複数のサブパルス１１及び１２を出力するのに適している。
【００３０】
前記パルススプリッタは、第１の屈折率ｎ０を持つ第１の材料ｍ０の第１の領域、及び第２の屈折率ｎ１を持つ第２の材料ｍ１の第２の領域を有する。これら第１及び第２の屈折率は、境界面９において光の屈折を提供するために異なっている。特に、第１及び第２の領域は、第１及び第２の材料により形成される共通の境界面９を有し、ここで、第１の光路長ＯＰ１及び第２の光路長ＯＰ２は、前記共通の境界面により互いに分離されている。境界面９は好ましくは、パルス１０を２つのサブパルスに分割するために、５０％の半透明ミラー又はそれに同等なものである。
【００３１】
入力した照射パルス及びパルススプリッタ５は、少なくとも第１のサブパルス１１及び第２のサブパルス１２が、対のパルス内の間隔時間Δｔで図２に概略的に示されるように、前記第１の領域において第１の光路長ＯＰ１により、及び前記第２の領域において第２の光路長ＯＰ２により夫々、時間的に分離されるように構成される。この時間的な分離に関するさらなる詳細のために、当業者は、米国特許出願番号US 2009/0067458を参照し、これは参照することにより、そのまま含まれるものとする。
【００３２】
本発明は特に、第１の材料における波長に対する第１の光路長ＯＰ１かける群速度分散（ＧＶＤ１）は、第２の材料における波長に対する第２の光路長ＯＰ２かける群速度分散（ＧＶＤ２）と平衡が保たれているので、第１のサブパルス１１及び第２のサブパルス１２の分散の広がりは等しい、従って
【数２】
0005770190.tif 000003
は中心波長（λ）の周りで満たされるべき制約である。
【００３３】
図３は、本発明によるパルススプリッタ５の別の概略的な図面である。この図のスプリッタは、図２のスプリッタと似ているが、ここでは光路ＯＰ１及びＯＰ２は、境界面９により分離される第１の領域１３及び第２の領域２３により明確に実施及び示され、共通の境界面９は、平坦な境界面であり、この共通の境界面はさらに、図３に概略的に示されるように、サブパルス１４及び１５をこの共通の境界面に向けて反射するために配される、一対の平行な反射面２５及び３５（例えばミラー）の間に位置決められている。この境界面９に衝突すると、前記サブパルス１４及び１５は共に、２つの別のサブパルスに分割され、図３に示されるように、時間的に分離したサブパルス１１及び１２のある上部分岐、並びに時間的に分離したサブパルス１５及び１７の下部分岐となる。各分岐において、前記サブパルスは、図１に示されるように、サブパルスのさらなる光学処理を容易にするために、空間的に重畳している。
【００３４】
同じ方向に生じるサブパルス１１及び１２は、パルス１０の入射角Θ０が以下の条件
【数３】
0005770190.tif 000004
を満たす場合、空間的に重畳していることが示される。
【００３５】
ここで、右側に双頭の矢印により示されるように、ｄ０は第１の材料の厚さであり、ｄ１は第２の材料の厚さである。この条件は、前記スプリッタが例えば回転台の上に取り付けられる場合、ｄ０、ｄ１のいい加減な公差でさえも満たされる。
【００３６】
群速度分散ＧＶＤ１又はＧＶＤ２が対応する二次微分により近似され得ると仮定される場合、パルスの広がり又はチャープは、光路長ＯＰ１又はＯＰ２、及び波長に対する屈折率の二次微分に比例する。パルススプリッタ５がこのスプリッタのポート全てにおいて同じ広がり効果で出力するために、以下の条件が満たされなければならない。
【数４】
0005770190.tif 000005
Θ１とΘ０との間における既知の関係、すなわちスネルの法則：ｎ１ｓｉｎ（Θ１）＝ｎ０ｓｉｎ（Θ０）、並びに上記数式（２）に与えられるｃｏｓ（Θ０）の値を考慮すると、前記屈折率の条件
【数５】
0005770190.tif 000006
を得ることができる。
【００３７】
本実施例の本質は、図３に示されるような４倍のパルススプリッタであり、ここで２つの層の屈折率はかなり異なっているが、屈折率と二次微分との積は略同じである。実用的な実施のために、品質は正確に満たされる必要はないが、それにもかかわらず、本発明を実現するのに有用である範囲の材料が見つけられる。
【００３８】
図４は、図３の実施例に類似する多数の材料を積層構造で示している、本発明によるパルススプリッタのさらに別の概略図であり、ここで第２の領域２３は、その上に層状に積み重ねられる第３の領域３３及び第４の領域４３を持つ。材料の組１８は、さらに別のパルススプリッタのサブ装置を実施するように屈折率ｎ２及びｎ３を選択する。材料の組ｉ−１及びｉは、サブパルス１１、１２及び１９により概略的に示される、全ての入射パルス１０に対しＮ個のサブパルスを生じさせるような一般的な構造で積層化されることができる。入射パルスからかなり多くのサブパルスＮを得るための他の光学的構造は、米国特許出願番号第US 2009/0067458、例えば図６及び７並びに対応する記述に見られ、これは参照することにより、そのまま含まれるものとする。
【００３９】
図５は、本発明に利用される材料の対を見つけるのに適したグラフである。
【００４０】
媒体１及び０に対し２つの異なるガラス形式を使用することが有利である。一般に、異なるガラスは、いわゆるアッベダイヤグラム(Abbe diagram)又が材料の組を見つけるのに適した他の表現で表されてよい。
【００４１】
アッベ数は、フラウンホーファー(Fraunfofer)線の３波長における屈折率の相対差である。高分散ガラスは低いアッベ数を意味し、低分散ガラスは高いアッベ数を意味している。図４の実施例のような４倍のパルススプリッタの条件は、アッベダイヤグラムの右下隅（低屈折率及び高分散）からのガラス形式をアッベダイヤグラムの左上隅（高屈折率及び低分散）の１つのガラス形式と組み合わせようとすることを意味している。前記分散の条件をより定量的にさせるために、屈折率とその屈折率に対する二次微分との積がプロットされてよい。Ohara社製の様々なガラス形式に対する結果が図５に示されている。
【００４２】
パルススプリッタ５のために図５のガラス形式から選択したとき、このスプリッタは屈折率が最も異なる２つのガラスを選択することにより最適化し、これら表示地点はグラフにおいて同一水平線上にある。このようなガラスの組の一例は、
S-LAH66 n=1.761及びnd2n/dλ2=0.1796＠800nm
S-FTM16 n=1.581及びnd2n/dλ2=0.1762＠800nm
の組である。
【００４３】
明らかに、これら材料の選択がこの組み合わせに制限されることも、同じ製造業者からガラスを得る必要も、２つのガラスを得ることが義務でもなく、その材料は、含まれる中心波長に対し透明である何れかの材料である。
【００４４】
図６は、例えば図１のような本発明を用いて実施するのに有用な分散補償装置の概略図であり、図１において補償装置は、６が付けられるエンティティとして実施されている。図６は、本発明による位相板を備える分散補償システム２００の概略図である。分散を補償するための光学系２００は、異なる波長を空間的に分離することにより、一次微分を補償するように構成される一対の光学部品Ｐ１及びＰ２を有する。しかしながら、この一次補償は代わりに、他の光学的に等価な要素、すなわち一対の回折格子により達成されることができ、各々の回折格子は、それ自体は例えば、R.L. Fork, C.H. Brito Cruz, P.C. Becker and C.V. Shank著、"Compression of optical pulses to six femtoseconds using cubic phase compensation", Optics Letters 12(7) (1987)pp 483-485のような光学における当業者には良く知られるような、レンズ又は湾曲ミラーを持ち、これは参照することにより、そのまま含まれるものとする。
【００４５】
高次分散補償装置２１０は光路内に取り入れられ、この補償装置は、位相板の形状を有する。ここで、各々の波長λに対する位相の変化Δφは、高次分散、すなわち位相φのテイラー展開における項、
【数６】
0005770190.tif 000007
及びさらに高次の項を実質的に補償するように、前記位相板２１０の対応する位置の高さを設計することにより調節される。
【００４６】
高次分散補償装置２１０は、前記対の光学部品、すなわちプリズムＰ１及びＰ２の光学的特徴O_Prop、すなわちプリズムの屈折率ｎを考慮することにより、前記対の光学部品と協働するのに適する。通例、これら２つの光学部品は同一又は略同一であるけれど、これが常にそうである必要はない。前記光路に沿った前記高次分散補償装置２１０の線形変位は通常、前記装置２１０とプリズムとの間における前記協働を変更しないが、前記装置２１０と、対の光学部品Ｐ１及びＰ２との間の相対位置ＲＰも考慮される。もちろん、入射する放射線の実際の波長も考慮されるべきである。この装置は、この断面図において、平坦な背面２１１及び階段状の高さを持つ前面２１２を持つ。
【００４７】
図７は、物体の光学撮像を行うための本発明による方法のフローチャートであり、この方法は、
パルス照射源２から中心波長λを持つ照射パルス１０を入力し、各々の入射する照射パルスに対し複数のサブパルス１１、１２、１５又は１７を出力するのに適したパルススプリッタ５を供給するステップＳ１であり、前記パルススプリッタは、第１の屈折率ｎ０を持つ第１の材料ｍ０の第１の領域１３及び第２の屈折率ｎ１を持つ第２の材料ｍ１の第２の領域２３を有する、ステップＳ１、並びに
少なくとも、第１及び第２のサブパルス１１及び１２は、前記第１の領域における第１の光路長ＯＰ１及び前記第２の領域における第２の光路長ＯＰ２により夫々、時間的に分離されるように、前記入力した照射パルス及びパルススプリッタ５を構成するステップＳ２、
を有し、ここで第１の材料における波長に対する第１の光路長ＯＰ１かける群速度分散ＧＶＤは、第２の材料における波長に対する第２の光路長ＯＰ２かける群速度分離ＧＶＤと平衡が保たれているので、第１及び第２のサブパルス１１及び１２の分散の広がりは等しい。
【００４８】
本発明が図面及び上記記載において詳細に説明及び開示されていたとしても、このような説明及び開示は、説明的又は例示的であり、限定的ではないと考えるべきであり、本発明が開示した実施例に限定されない。開示される実施例以外の変更は、図面、本開示及び添付の特許請求の範囲の研究から当業者により理解及びもたらされ得る。請求項において、"有する"という言葉は、それ以外の要素又はステップを排除するものではなく、複数あることを言わないことはそれらが複数あることを排除するものではない。単一の処理器又は他のユニットが請求項に列挙される幾つかのアイテムの機能を果たしてもよい。ある方法が互いに異なる従属請求項に列挙されるという単なる事実は、これらの方法の組み合わせが有利に使用されないことを示しているのではない。請求項における如何なる符号もその範囲を制限すると考えるべきではない。
【図１】
0005770190.tif 000009
【図２】
0005770190.tif 000010
【図３】
0005770190.tif 000011
【図４】
0005770190.tif 000012
【図５】
0005770190.tif 000013
【図６】
0005770190.tif 000014
【図７】
0005770190.tif 000015